(57)【要約】【課題】遠隔地で物品の使用状況を把握する。【解決手段】本発明は、無線タグのタグ情報に期限情報を付与して期限管理し、長期間使用されていない物品を検出し、未使用期間を超過した物品を表す期間超過情報を物品管理装置に通知する。【選択図】  図１
2004292096.tif 000002
【特許請求の範囲】
【請求項１】
物品に付され該物品を識別するための識別情報及び予め定められた期間を表す期間情報が格納された無線タグと、
前記無線タグに格納された情報に基づいて物品を監視する物品監視装置と、
前記物品の使用状況を、通信回線を介して該物品を管理する物品管理装置と、を有し、
前記物品監視装置は、
所定の時間間隔で前記識別情報及び前記期間情報を前記無線タグより読み込む情報読込手段と、
日時を表す日時情報と前記識別情報とを対応させて格納する識別情報格納手段と、
前記情報読込手段によって読み込まれた識別情報のうち、前記識別情報格納手段に格納された識別情報に含まれない識別情報を、現在日時を表す日時情報と対応させて該識別情報格納手段に格納すると共に、該識別情報格納手段に格納された識別情報のうち前記情報読込手段によって読み込まれた識別情報に含まれない識別情報を廃棄する識別情報更新手段と、
前記識別情報格納手段に格納された前記日時情報に表される日時と現在日時との差分を算出し、算出した差分が前記期間情報に表される期間を超えているか否かを判断する期間判断手段と、
前記期間判断手段によって前記差分が前記期間情報に表される期間を超えていると判断された場合には、前記識別情報を含む期間超過情報を、前記物品を管理する前記物品管理装置に送信する期間超過情報送信手段と、を有することを特徴とする物品管理システム。
【請求項２】
前記識別情報更新手段によって前記識別情報が前記識別情報格納手段に格納された際の日時を表す第１の日時情報を前記無線タグに書き込むと共に、前記情報読込手段によって前記識別情報が読み込まれた際の日時を表す第２の日時情報を前記無線タグに更新しながら書き込む情報書込手段を更に有する請求項１記載の物品管理システム。
【請求項３】
前記物品管理装置からの要求に応じて前記識別情報と前記第１の日時情報と前記第２の日時情報とを含む履歴情報を前記物品管理装置に送信する履歴情報送信手段を備える請求項２記載の物品管理システム。
【請求項４】
前記無線タグは、前記物品の有効期限を表す期限情報を、更に格納し、
前記情報読込手段は、前記期限情報を更に読み込む手段を有し、
現在日時が前記期限情報に表される有効期限を超過しているか否かを判断する期限判断手段と、
前記読込日時が前記有効期限を超過していると前記期限判断手段によって判断された場合には、前記識別情報を含む期限超過情報を前記物品管理装置に送信する期限超過情報送信手段と、を更に有する請求項１乃至３のいずれか１項記載の物品管理システム。
【請求項５】
前記物品監視装置の前記手段を前記物品管理装置に設ける請求項１乃至４のいずれか１項記載の物品管理システム。
【請求項６】
所定の時間間隔で前記識別情報及び前記期間情報を、物品に付された該物品を識別するための識別情報及び予め定められた期間を表す期間情報が格納された無線タグより読み込む情報読込手段と、
日時を表す日時情報と前記識別情報とを対応させて格納する識別情報格納手段と、
前記情報読込手段によって読み込まれた識別情報のうち、前記識別情報格納手段に格納された識別情報に含まれない識別情報を、現在日時を表す日時情報と対応させて該識別情報格納手段に格納すると共に、該識別情報格納手段に格納された識別情報のうち前記情報読込手段によって読み込まれた識別情報に含まれない識別情報を廃棄する識別情報更新手段と、
前記識別情報格納手段に格納された前記日時情報に表される日時と現在日時との差分を算出し、算出した差分が前記期間情報に表される期間を超えているか否かを判断する期間判断手段と、
前記期間判断手段によって前記差分が前記期間情報に表される期間を超えていると判断された場合には、前記識別情報を含む期間超過情報を、前記物品を管理する前記物品管理装置に送信する期間超過情報送信手段と、を有することを特徴とする物品監視装置。
【請求項７】
前記識別情報更新手段によって前記識別情報が前記識別情報格納手段に格納された際の日時を表す第１の日時情報を前記無線タグに書き込むと共に、前記情報読込手段によって前記識別情報が読み込まれた際の日時を表す第２の日時情報を前記無線タグに更新しながら書き込む情報書込手段を更に有する請求項６記載の物品監視装置。
【請求項８】
前記物品管理装置からの要求に応じて前記識別情報と前記第１の日時情報と前記第２の日時情報とを含む履歴情報を前記物品管理装置に送信する履歴情報送信手段を備える請求項７記載の物品監視装置。
【請求項９】
前記無線タグは、前記物品の有効期限を表す期限情報を、更に格納するとき、
前記情報読込手段は、前記期限情報を更に読み込む手段を有し、
現在日時が前記期限情報に表される有効期限を超過しているか否かを判断する期限判断手段と、
前記読込日時が前記有効期限を超過していると前記期限判断手段によって判断された場合には、前記識別情報を含む期限超過情報を前記物品管理装置に送信する期限超過情報送信手段と、を更に有する請求項６乃至８のいずれか１項記載の物品監視装置。
【発明の詳細な説明】
【０００１】
【発明の属する技術分野】
本発明は、物品管理システム及び物品監視装置に係り、特に、物品に付された無線タグに格納された情報に基づいて物品を管理する物品管理システム及び物品監視装置に関する。
【０００２】
【従来の技術】
従来、物品を管理するために、物品の識別情報等をコンピュータに登録し、物品の流出入に伴ってコンピュータの登録内容を更新するものが、物流業、レンタル業，及び図書館等において広く用いられている。
【０００３】
この、コンピュータの登録内容の更新のための手入力の手間を低減するものとして、例えば、在庫管理装置が自動的にパッケージの挿入状況、挿入された位置、種別を監視する機能を備え、在庫情報を情報端末に通知し、パッケージの収容位置情報と収容の有無により、装置全体の空き状況が情報端末上で可視化されて、パッケージの種別で現在提供可能であるサービスの種別がわかるものがある（例えば、特許文献１参照。）。
【０００４】
【特許文献１】
特開２００２−２５９５１２号公報
【０００５】
【発明が解決しようとする課題】
しかしながら、上記従来の技術では、遠隔地で物品の在庫状況は把握できるものの、長期間使用されていない物品を検出したり、有効期限を超過した物品を検出したりする等の物品の使用状況を把握することができないという問題がある。
本発明は、上記の点に鑑みなされたもので、遠隔地で物品の使用状況を把握することが可能な物品管理システム及び物品監視装置を提供することを目的とする。
【０００６】
【課題を解決するための手段】
図１は、本発明の原理構成図である。
【０００７】
本発明は、物品１１０に付され該物品１１０を識別するための識別情報及び予め定められた期間を表す期間情報が格納された無線タグ１１１と、
無線タグ１１１に格納された情報に基づいて物品を監視する物品監視装置２００と、
物品の使用状況を、通信回線を介して該物品を管理する物品管理装置３００と、を有し、
物品監視装置２００は、
所定の時間間隔で識別情報及び期間情報を無線タグより読み込む情報読込手段２０２と、
日時を表す日時情報と識別情報とを対応させて格納する識別情報格納手段２０３と、
情報読込手段２０２によって読み込まれた識別情報のうち、識別情報格納手段２０３に格納された識別情報に含まれない識別情報を、現在日時を表す日時情報と対応させて該識別情報格納手段２０３に格納すると共に、該識別情報格納手段２０３に格納された識別情報のうち情報読込手段２０２によって読み込まれた識別情報に含まれない識別情報を廃棄する識別情報更新手段２０４と、
識別情報格納手段２０３に格納された日時情報に表される日時と現在日時との差分を算出し、算出した差分が期間情報に表される期間を超えているか否かを判断する期間判断手段２０５と、
期間判断手段２０５によって差分が期間情報に表される期間を超えていると判断された場合には、識別情報を含む期間超過情報を物品を管理する物品管理装置３００に送信する期間超過情報送信手段２０６と、を有する。
【０００８】
この構成により、物品に付された無線タグに格納された識別情報に基づいて、長期間使用されていない物品を検出し、未使用期間を超過した物品を表す期間超過情報を物品を管理する物品管理装置に送信するため、遠隔地で物品の使用状況を把握することが可能となる。
【０００９】
また、本発明の識別情報更新手段２０４によって識別情報が識別情報格納手段２０３に格納された際の日時を表す第１の日時情報を無線タグ１１０に書き込むと共に、情報読込手段２０２によって識別情報が読み込まれた際の日時を表す第２の日時情報を無線タグに更新しながら書き込む情報書込手段を更に有する。
【００１０】
この構成により、上記に加えて、物品に付された無線タグに使用履歴を格納するため、物品の使用状況を把握することができる。
【００１１】
また、本発明は、物品管理装置３００からの要求に応じて識別情報と第１の日時情報と第２の日時情報とを含む履歴情報を物品管理装置３００に送信する履歴情報送信手段を備える。
【００１２】
この構成により、物品に付された無線タグに格納された使用履歴を表す履歴情報を物品を管理する物品管理装置に送信するため、遠隔地での物品の使用状況を把握することが可能となる。
【００１３】
また、本発明の無線タグ１１０は、物品の有効期限を表す期限情報を、更に格納し、
情報読込手段２０２は、期限情報を更に読み込む手段を有し、
現在日時が期限情報に表される有効期限を超過しているか否かを判断する期限判断手段と、
読込日時が有効期限を超過していると期限判断手段によって判断された場合には、識別情報を含む期限超過情報を物品管理装置３００に送信する期限超過情報送信手段と、を更に有する。
【００１４】
この構成により、物品に付された無線タグに格納された識別情報に基づいて有効期限を超過している物品を検出し、有効期限を超過した物品を表す期限超過情報を、物品を管理する物品管理装置に送信するため、遠隔地で物品の使用状況を把握することが可能となる。
【００１５】
また、本発明は、上記の物品監視装置２００の手段を物品管理装置３００に設ける。
【００１６】
これにより、物品管理装置においても物品監視装置と同様の処理が可能となる。
【００１７】
本発明は、所定の時間間隔で識別情報及び期間情報を、物品に付された該物品を識別するための識別情報及び予め定められた期間を表す期間情報が格納された無線タグより読み込む情報読込手段と、
日時を表す日時情報と識別情報とを対応させて格納する識別情報格納手段と、情報読込手段によって読み込まれた識別情報のうち、識別情報格納手段に格納された識別情報に含まれない識別情報を現在日時を表す日時情報と対応させて該識別情報格納手段に格納すると共に、該識別情報格納手段に格納された識別情報のうち情報読込手段によって読み込まれた識別情報に含まれない識別情報を廃棄する識別情報更新手段と、
識別情報格納手段に格納された日時情報に表される日時と現在日時との差分を算出し、算出した差分が期間情報に表される期間を超えているか否かを判断する期間判断手段と、
期間判断手段によって差分が期間情報に表される期間を超えていると判断された場合には、識別情報を含む期間超過情報を物品を管理する物品管理装置に送信する期間超過情報送信手段と、を有する。
【００１８】
また、本発明は、識別情報更新手段によって識別情報が識別情報格納手段に格納された際の日時を表す第１の日時情報を無線タグに書き込むと共に、情報読込手段によって識別情報が読み込まれた際の日時を表す第２の日時情報を無線タグに更新しながら書き込む情報書込手段を更に有する
また、本発明は、物品管理装置からの要求に応じて識別情報と第１の日時情報と第２の日時情報とを含む履歴情報を物品管理装置に送信する履歴情報送信手段を備える。
【００１９】
また、本発明は、無線タグは、物品の有効期限を表す期限情報を、更に格納するとき、
情報読込手段は、期限情報を更に読み込む手段を有し、
現在日時が期限情報に表される有効期限を超過しているか否かを判断する期限判断手段と、
読込日時が有効期限を超過していると期限判断手段によって判断された場合には、識別情報を含む期限超過情報を物品管理装置に送信する期限超過情報送信手段と、を更に有する。
【００２０】
【発明の実施の形態】
以下、図面と共に、本発明の実施の形態について説明する。
【００２１】
図２は、本発明の一実施の形態における物品管理システムの構成を示す。
【００２２】
物品管理システム１００は、物品に付された無線タグ１１１と、無線タグ１１１に格納された情報に基づいて物品を監視する物品監視装置２００を備え、物品の使用状況を通信回線を介して物品を管理する物品管理装置３００に通知するものである。
【００２３】
なお、本実施の形態においては、物品として書籍１１０を例に説明し、物品監視装置２００は、書架４００に設置されているものとする。また、図２において、物品管理システム１００は、１つの物品管理装置２００によって構成されているが、複数の物品監視装置２００によって構成することも可能である。
【００２４】
無線タグ１１１は、非接触ＩＣチップを備え、後述するリーダライタ２０１と、公知のＲＦＩＤ（Ｒａｄｉｏ  Ｆｒｅｑｕｅｎｃｙ  Ｉｄｅｎｔｉｆｉｃａｔｉｏｎ，電波方式認識）技術によって、電波を介して非接触で情報の送受信ができるようになっている。
【００２５】
ここで、無線タグ１１１に格納される情報について図面を参照して説明する。図３は、本発明の一実施の形態における、無線タグの格納情報を示すメモリマップである。無線タグ１１１には、書籍名等の書籍１１０に関する情報、書籍１１０を識別するための識別情報、書籍１１０の有効期限を表す期限情報、書籍１１０が書架４００に収容されてから未使用である旨の通知を開始するまでの期間（以下、単に未使用期間という）を表す期間情報、及び、書籍１１０の使用履歴が格納されている。
【００２６】
書籍１１０の使用履歴が格納される領域には、未使用期間の始まりを表す第１の日時情報（図３左側）と、未使用期間の終了を表す第２の日時情報（図３右側）とが格納されている。
【００２７】
個々で、無線タグ１１１に格納された前述した情報を総称してタグ情報という。
【００２８】
物品監視装置２００は、無線タグ１１１と情報の送受信を行うリーダライタ２０１と、リーダライタ２０１を介してタグ情報を所定の時間間隔で読み込む情報読込部２０２と、日時を表す日時情報と識別情報とを対応させて格納する識別情報格納部２０３と、識別情報格納部２０３に格納された識別情報を更新する識別情報更新部２０４と、書籍１１０が未使用期間を超過しているか否かを判断する期間判断部２０５と、未使用期間を超過した旨を物品管理装置３００に送信する期間超過情報送信部２０６と、書籍１１０が有効期限を超過しているか否かを判断する期限判断部２１０と、有効期限を超過した旨を物品管理装置３００に送信する期限超過情報送信部２１１と、物品管理装置３００に書籍１１０の使用履歴を表す履歴情報を送信する履歴情報送信部２２０と、無線タグ１１１に使用履歴を書き込む情報書込部２３０と、物品管理装置３００と通信するための通信インタフェイス２４０とを備えている。
【００２９】
識別情報更新部２０４は、情報読込部２０２によって読み込まれたタグ情報に含まれる識別情報のうち、識別情報格納部２０３に格納された識別情報に含まれない識別情報を検出し、検出した識別情報を現在日時を表す日時情報と対応させて識別情報格納部２０３に格納する。
【００３０】
すなわち、識別情報更新部２０４は、書架４００に収容された書籍１１０を識別する識別情報を収容された日時を表す日時情報と共に識別情報格納部２０３に格納する。
【００３１】
また、識別情報更新部２０４は、識別情報格納部２０３に格納された識別情報のうち、情報読込部２０２によって読み込まれた識別情報に含まれない識別情報を検出し、検出した識別情報及びこの識別情報に対応する日時情報を識別情報格納部２０３より廃棄する。
【００３２】
すなわち、識別情報更新部２０４は、書架４００から取り出された書籍１１０を識別する識別情報を識別情報格納部２０３より廃棄する。
【００３３】
このように、識別情報更新部２０４は、識別情報格納部２０３に格納された情報を最新のものに更新する。
【００３４】
期間判断部２０５は、書籍１１０が未使用期間を超過しているか否かを判断する。
【００３５】
具体的には、期間判断部２０５は、識別情報格納部２０３に格納された識別情報と日時情報とを順次取得し、情報読込部２０２によって読み込まれたタグ情報のうち、識別情報格納部２０３より順次取得した識別情報と等しい識別情報を含むタグ情報から期間情報を取得する。
【００３６】
ここで、期間判断部２０５は、識別情報格納部２０３より順次取得した日時情報に表される日時と現在日時との差分を算出し、算出した差分が期間情報に表される未使用期間を超過している場合には、書籍１１０が未使用期間を超過していると判断し、算出した差分が未使用期間を超過していない場合には、書籍１１０が未使用期間を超過していないと判断する。
【００３７】
なお、期間判定部２０５は、期間情報がブランク、すなわち未使用期間が定められていない場合には、前述した判断を行わない。
【００３８】
期間判断部２０５によって、書籍１１０が未使用期間を超過していると判断された場合には、期間超過情報送信部２０６は、書籍１１０が未使用期間を超過している旨を表す期間超過情報を生成し、生成した期間超過情報を通信インタフェイス２４０を介して物品管理装置３００に送信する。
【００３９】
ここで、期間超過情報には、該当する無線タグ１１１に格納されたタグ情報を含んでおり、物品管理装置３００では、未使用期間が超過した書籍１１０に関する情報を得ることができる。
【００４０】
期限判断部２１０は、書籍１１０が有効期間を超過しているか否かを判断する。
【００４１】
具体的には、期限判断部２１０は、情報読込部２０２によって読み込まれたタグ情から期限情報を取得し、現在日時が期限情報に表される有効期限を超過しているか否かを判断し、現在日時が有効期限を超過している場合には、書籍１１０が有効期限を超過していると判断し、現在日時が有効期限を超過していない場合には、書籍１１０が有効期限を超過していないと判断する。
【００４２】
期限判断部２１０によって書籍１１０が有効期限を超過していると判断された場合には、期限超過情報送信部２１１は、書籍１１０が有効期限を超過している旨を表す期限超過情報を生成し、生成した期限超過情報を通信インタフェイス２４０を介して物品管理装置３００に送信する。
【００４３】
履歴情報送信部２２０は、物品管理装置３００からの要求に応じて書籍１１０の使用履歴を表す履歴情報を情報読込部２０２によって読み込まれたタグ情報から生成し、生成した履歴情報を通信インタフェイス２４０を介して物品管理装置３００に送信する。なお、履歴情報は、タグ情報と同一のものでもよい。
【００４４】
履歴情報送信部２２０から送信された履歴情報によって、物品管理装置３００では、書架４００に収容されているすべての書籍１１０の履歴情報、又は、識別情報によって特定される書籍１１０の履歴情報を得ることができる。
【００４５】
情報書込部２３０は、無線タグ１１１に使用履歴を書き込む。
【００４６】
具体的には、書架４００に収容された書籍１１０を識別する識別情報が識別情報更新部２０４によって識別情報格納部２０３に格納される際、情報書込部２３０は、現在日時を表す日時情報を無線タグ１１１の第１の日時情報を格納する領域に格納する。
【００４７】
また、情報書込部２３０は、情報読込部２０２によってタグ情報が読み込まれる毎に現在日時を表す日時情報を無線タグ１１１の第２の日時情報を格納する領域に格納する。
【００４８】
すなわち、第２の日時情報を格納する領域には、書籍１１０が書架４００から取り出される直前の日時を表す日時情報が格納される。
【００４９】
ここで、再び書籍１１０が書架４００に収容された場合には、第１の日時情報及び第２の日時情報は、図３を参照して説明した次の使用履歴を格納する領域に書き込まれる。
【００５０】
以下に、物品監視装置２００の動作を説明する。
【００５１】
図４は、本発明の一実施の形態における物品監視装置の動作を示すフローチャートである。
【００５２】
まず、無線タグ１１１に格納されたタグ情報が情報読込部２０２によってリーダライタ２０１を介して読み込まれる（ステップ１０２）。
【００５３】
次に、情報読込部２０２によって読み込まれたタグ情報に含まれる識別情報のうち、識別情報格納部２０３に格納された識別情報に含まれない識別情報が識別情報更新部２０４によって検出される（ステップ１０４）。
【００５４】
次に、検出された識別情報が現在日時を表す日時情報と共に、識別情報更新部２０４によって識別情報格納部２０３に格納される（ステップ１０６）と共に、格納された識別情報に対応する無線タグ１１の第１の日時情報を格納する領域に現在日時を表す日時情報が情報書込部２３０によって書き込まれる（ステップ１０８）。
【００５５】
一方、識別情報格納部２０３に格納された識別情報のうち情報読込部２０２によって読み込まれた識別情報に含まれない識別情報が識別情報更新部２０４によって検出され（ステップ１１０）、検出された識別情報とこの識別情報に対応する日時情報とが識別情報更新部２０４によって識別情報格納部２０３より廃棄される（ステップ１１２）。
【００５６】
次に、情報読込部２０２によって読み込まれたタグ情報に含まれる識別情報に対応する無線タグ１１１の第２の日時情報を格納する領域に現在日時を表す日時情報が情報書込部２３０によって書き込まれる（ステップ１１４）。
【００５７】
次に、情報読込部２０２によって読み込まれたタグ情報に対して後述する未使用期間管理（ステップ１２０）、及び有効期限管理（ステップ１３０）が行われる。
【００５８】
また、物品管理装置３００の要求に応じて（ステップ１４０）、書籍１１０の使用履歴を表す履歴情報が履歴情報送信部２２０によって通信インタフェイス２４０を介して物品管理装置３００に送信される（ステップ１５０）。
【００５９】
なお、上述したステップ１２０、１３０、及び１４０から１５０までの各処理は、順序が入れ替わってもよいし、並列に行われてもよい。
【００６０】
図５は、本発明の一実施の形態における物品監視装置の未使用期間管理動作のフローチャートである。
【００６１】
まず、識別情報格納部２０３に格納された識別情報と日時情報とが期間判断部２０５によって順次取得され（ステップ１２１）、情報読込部２０２によって読み込まれたタグ情報のうち取得された識別情報と等しい識別情報を含むタグ情報から期間情報が取得される（ステップ１２２）。
【００６２】
情報読込部２０２によって取得された期間情報に未使用期間が定められている場合（ステップ１２３）には、識別情報格納部２０３より順次取得された日時情報に表される日時と現在日時との差分が期間判断部２０５によって算出され、算出された差分が期間情報に表される未使用期間を超過しているか否かが判断される（ステップ１２４）。
【００６３】
未使用期間を超過していると期間判断部２０５によって判断された場合には、書籍１１０が未使用期間を超過している旨を表す期間超過情報が期間超過情報送信部２０６によって生成され（ステップ１２５）、生成された期間超過情報が通信インタフェイス２４０を介して物品管理装置３００に送信される（ステップ１２６）。
【００６４】
図６は、本発明の一実施の形態における物品監視装置の有効期限管理動作のフローチャートである。
【００６５】
まず、情報読込部２０２によって読み込まれたタグ情報に含まれる期限情報に有効期限が定められている場合（ステップ１３１）、現在日時が期限情報に表される有効期限を超過しているか否かが期限判断部２１０によって判断される（ステップ１３２）。
【００６６】
有効期限を超過していると期限判断部２１０によって判断された場合には、書籍１１０が有効期限を超過している旨を表す期限超過情報が、期限超過情報送信部２１１によって生成され（ステップ１３３）、生成された期限超過情報が、通信インタフェイス２４０を介して物品管理装置３００に送信される（ステップ１３４）。
【００６７】
なお、上記の図４から図６に示したフローチャートをプログラムとして構築し、物品監視装置として利用されるコンピュータにインストールし、当該コンピュータのＣＰＵ等の制御手段に実行させるようにしてもよい。また、ネットワークを流通させてもよい。
【００６８】
また、構築されたプログラムを、物品監視装置として利用されるコンピュータに接続されるハードディスク装置や、フレキシブルディスク、ＣＤ−ＲＯＭ等の可搬記憶媒体に格納しておき、本発明を実施する際に、当該コンピュータにインストールして実行することも可能である。
【００６９】
なお、本発明は、上記の実施の形態に限定されることなく、特許請求の範囲内において、種々変更・応用が可能である。
【００７０】
【発明の効果】
以上説明したように、物品管理システムによれば、物品に付された無線タグに格納された識別情報に基づいて長期間使用されていない物品を検出し、未使用期間を超過した物品を表す期間超過情報を物品管理装置に送信することが可能となる。
【００７１】
また、物品に付された無線タグに使用履歴を格納し、格納された使用履歴を表す履歴情報を物品管理装置に送信することができる。
【００７２】
また、物品に付された無線タグに格納された識別情報に基づいて有効期限を超過している物品を検出し、有効期限を超過した物品を表す期限超過情報を物品管理装置に送信することができる。
【００７３】
このように、物品管理システムによれば、遠隔地での物品の使用状況を把握することができる。
【図面の簡単な説明】
【図１】本発明の原理構成図である。
【図２】本発明の一実施の形態における物品管理システムの構成図である。
【図３】本発明の一実施の形態における無線タグの格納情報である。
【図４】本発明の一実施の形態における物品監視装置の動作を示すフローチャートである。
【図５】本発明の一実施の形態における物品監視装置の未使用期間管理動作を示すフローチャートである。
【図６】本発明の一実施の形態における物品監視装置の有効期限管理動作のフローチャートである。
【符号の説明】
１００  物品管理システム
１１０  書籍
１１１  無線タグ
２００  物品監視装置
２０１  リーダライタ
２０２  情報読込手段、情報読込部
２０３  識別情報格納手段、識別情報格納部
２０４  識別情報更新手段、識別情報更新部
２０５  期間判断手段、期間判断部
２０６  期間超過情報送信手段、期間超過情報送信部
２１０  期限判断部
２１１  期限超過情報送信部
２２０  履歴情報送信部
２３０  情報書込部
２４０  通信インタフェイス
３００  物品管理装置
４００  書架
【図１】
2004292096.tif 000003
【図２】
2004292096.tif 000004
【図３】
2004292096.tif 000005
【図４】
2004292096.tif 000006
【図５】
2004292096.tif 000007
【図６】
2004292096.tif 000008